(57)【要約】【課題】結露水の蒸発効果が高く、美観性が向上した結露水吸収用テープを提供する。【解決手段】結露水吸収用テープ１は、結露水を吸収する吸収層２と、吸収層２の一方の面に設けられた接着層３とを備えている。吸収層２の少なくとも外周面には、その外周面の面積を拡大する周面拡大部１３，１８が形成されている。周面拡大部１３は、吸収層２の両側の短辺である側面２ａの少なくとも一部において吸収層２の長辺である下面２ｂに対して傾いた斜辺１４を有している。【選択図】図１
2011213981.tif 000002
【特許請求の範囲】
【請求項１】
結露水を吸収する吸収層と、
前記吸収層の一方の面に設けられた接着層と
を備えており、
前記吸収層の少なくとも外周面には、当該吸収層の周面の面積を拡大する周面拡大部が形成されており、
前記周面拡大部は、前記吸収層の両側の短辺の少なくとも一部において前記吸収層の長辺に対して傾いた部分を有している、
結露水吸収用テープ。
【請求項２】
前記周面拡大部は、前記吸収層の上側の長辺の少なくとも一部に形成されている、
請求項１に記載の結露水吸収用テープ。
【発明の詳細な説明】
【技術分野】
【０００１】
本発明は、窓ガラス等の表面に結露した水を吸収する結露水吸収用テープに関する。
【背景技術】
【０００２】
窓ガラス等の表面に結露した水を吸収するために、不織布などを基材とする結露水吸収用テープが種々開発されている。
【０００３】
例えば、特許文献１記載の結露水吸収用テープは、略長方形の吸収性不織繊維シートの表面に、合成樹脂製フィルムまたは多数の小孔をあけた多孔シートを接着した構造である。この結露水吸収用テープでは、結露水を吸収性不織繊維シートに吸収し、その後、吸収した結露水を多孔シートの小孔を通して蒸発させている。
【先行技術文献】
【特許文献】
【０００４】
【特許文献１】実開平４−４４３４６号公報（実願平２−８４２０７号のマイクロフィルム）
【発明の概要】
【発明が解決しようとする課題】
【０００５】
しかし、特許文献１にみられるように、通常の結露水吸収用テープでは、不織布などの基材層は、長方形のシート状または帯状であるので、外気との接触面積を増やすことが難しく、結露水の蒸発効果を向上することが困難である。
【０００６】
また、従来の結露水吸収用テープは長方形のシート状または帯状の形態であるので、美観性に乏しく、表面に絵柄を印刷するなど別の処理を施して美観性を向上しなければならないという問題もある。
【０００７】
本発明は、上記のような事情に鑑みてなされたものであり、結露水の蒸発効果が高く、美観性が向上した結露水吸収用テープを提供することを目的とする。
【課題を解決するための手段】
【０００８】
上記課題を解決するためのものとして、本発明の結露水吸収用テープは、結露水を吸収する吸収層と、前記吸収層の一方の面に設けられた接着層とを備えており、前記吸収層の少なくとも外周面には、当該吸収層の周面の面積を拡大する周面拡大部が形成されており、前記周面拡大部は、前記吸収層の両側の短辺の少なくとも一部において前記吸収層の長辺に対して傾いた部分を有している、ことを特徴としている（請求項１）。
【０００９】
この構成によれば、吸収層の少なくとも外周面には、当該吸収層の周面の面積を拡大する周面拡大部が形成されているので、少なくとも外周面で空気と触れる面積が拡大し、結露水の蒸発効果が高くなる。
【００１０】
なお、ここでいう吸収層の周面とは、吸収層の少なくとも外周面を含み、内周面および外周面の両方を含む概念である。
【００１１】
また、周面拡大部によって吸収層を複雑かつ装飾的な形状にすることができ、美観性が向上する。
【００１２】
また、この構成によれば、周面拡大部が吸収層の外周面に形成されているので、吸収層の外周面で空気と触れる面積が拡大し、結露水の蒸発効果を向上することができる。
【００１３】
さらに、周面拡大部が吸収層の両側の短辺の少なくとも一部において吸収層の長辺に対して傾いた部分を有しているので、吸収層の外側面で空気と触れる面積が拡大し、結露水の蒸発効果を向上することができる。しかも、２枚の結露水吸収用テープを横に並べて窓ガラスなどの取付対象に貼って配置した場合、窓ガラスをつたって落下する結露水が吸収層の側面の傾いた部分によって確実に吸収される。したがって、結露水が継ぎ目を通って下方へ垂れるおそれがなくなり、結露水の吸収もれを防ぐことができる。
【００１４】
さらに、前記周面拡大部は、前記吸収層の上側の長辺の少なくとも一部に形成されているのが好ましい（請求項２）。
【００１５】
この構成によれば、周面拡大部が吸収層の上側の長辺の少なくとも一部に形成されているので、吸収層の上面で空気と触れる面積が拡大し、結露水の蒸発効果を向上することができる。しかも、吸収層の上面における外周面の面積が拡大されているので、窓ガラスなどの取付対象をつたって落下する結露水を吸収する効果も高くなる。
【発明の効果】
【００１６】
以上説明したように、本発明の結露水吸収用テープによれば、周面拡大部を設けたことにより、結露水の蒸発効果が高くなり、それとともに美観性が向上する。
【００１７】
また、２枚の結露水吸収用テープを横に並べて窓ガラスなどの取付対象に貼って配置することにより、窓ガラスをつたって落下する結露水が吸収層の側面の傾いた部分によって確実に吸収することができる。その結果、結露水が継ぎ目を通って下方へ垂れるおそれがなくなり、結露水の吸収もれを防ぐことができる。
【図面の簡単な説明】
【００１８】
【図１】本発明の実施形態に係わる結露水吸収用テープの正面図である。
【図２】図１の結露水吸収用テープのＩＩ−ＩＩ線断面図である。
【図３】図１の結露水吸収用テープの開口部を切り抜く前の状態を示す正面図である。
【図４】図１の結露水吸収用テープを連続的に横に並べ、それとともに開口部に対応する型抜き片も貼り付けられたガラス窓の斜視図である。
【図５】本発明の結露水吸収用テープの実験例１に用いられる型抜き片を開口に入れた状態の不織布を用いたサンプルＩの正面図である。
【図６】本発明の結露水吸収用テープの実験例１に用いられる型抜き片を開口から取り出した状態の不織布を用いたサンプルＩＩの正面図である。
【図７】本発明の結露水吸収用テープの実験例１の実験結果である室温の環境下におけるサンプルＩ、ＩＩの水分保持率の変化を示すグラフである。
【図８】本発明の結露水吸収用テープの実験例１の実験結果である５０℃の高温の環境下におけるサンプルＩ、ＩＩの水分保持率の変化を示すグラフである。
【図９】本発明の結露水吸収用テープの実験例２に用いられる外周デザインの無い棒状の不織布を用いたサンプルＩＩＩの正面図である。
【図１０】本発明の結露水吸収用テープの実験例２に用いられる外周デザインを有する不織布を用いたサンプルＩＶの正面図である。
【図１１】本発明の結露水吸収用テープの実験例２の実験結果である室温の環境下におけるサンプルＩＩＩ、ＩＶの水分保持率の変化を示すグラフである。
【図１２】本発明の結露水吸収用テープの実験例２の実験結果である５０℃の高温の環境下におけるサンプルＩＩＩ、ＩＶの水分保持率の変化を示すグラフである。
【発明を実施するための形態】
【００１９】
以下、本発明の結露水吸収用テープの実施形態を図面に基づいて詳細に説明する。
【００２０】
図１〜２に示される結露水吸収用テープ１は、結露水を吸収する吸収層２と、吸収層２の一方の面（例えば、図２の下面）に設けられた接着層３と、剥離シート４とを備えている。吸収層２には、複数の開口５、６が形成されている。
【００２１】
吸収層２は、例えば、不織布、織布、編布等からなり、綿、麻、絹、ウール、パルプ、レーヨン、アクリル系、ポリエステル系、ポリオレフィン系、ポリアミド系などの繊維を用いて製造される。
【００２２】
接着層３は、アクリル系、ポリウレタン系、ポリ塩化ビニル系等の合成樹脂または樹脂製の接着剤からなり、窓ガラスＧ等の取付対象の表面に再剥離できる程度の接着力を有するものが用いられる。
【００２３】
剥離シート４は、結露水吸収用テープ１の使用前に接着層３を被覆する樹脂または紙製のシートである。結露水吸収用テープ１の使用時には、剥離シート４は接着層３から剥離される。
【００２４】
本実施形態の結露水吸収用テープ１では、開口５、６の内周面および吸収層２の外周面（側面２ａおよび上面２ｃ）において、周面の面積を拡大する周面拡大部９、１２、１３、１８が形成されている。以下、これらの周面拡大部について順に説明する。
【００２５】
開口５の内周面からなる周面拡大部９は、凸部７および凹部８を有している。しかも、開口５は、凸部７および凹部８を複数個放射状に連続した雪の結晶の形状を有しているので、結露水の蒸発効果がさらに向上するとともに美観性も向上している。
【００２６】
また、開口６の内周面からなる周面拡大部１２は、凸部１０および凹部１１を有している。開口６は、凸部１０および凹部１１を組み合わせてうさぎの形状を有している。
【００２７】
図１〜２に示される結露水吸収用テープ１では、吸収層２に開口５、６が形成されているので、開口５、６の内周面からなる周面拡大部９、１２が空気と触れて結露水の蒸発効果を向上することができる。しかも、開口５、６の内周面からなる周面拡大部９、１２は、凸部７、１０および凹部８、１１を有しているので、吸収層２の内周面で空気と触れる面積が拡大し、結露水の蒸発効果を向上することができる。
【００２８】
また、このように、開口５、６の開口形状を雪の結晶やウサギのような複雑かつ装飾的な形状にしているので、結露水吸収用テープ１の美観が向上する。とくに、開口５の雪の結晶の形状および開口６のうさぎの形状は、白系の不織布からなる吸収層２の色に合わせて、冬を連想させる装飾に関するものであり、装飾性の高いデザインである。
【００２９】
なお、開口５、６の形状は、上記の形状のほかにも、周面の面積を拡大できる形状であれば、種々の形状を採用することが可能である。
【００３０】
吸収層２における開口５、６の開口率は、５〜３０％であれば、結露水の吸収量を十分に確保できるとともに、結露水の蒸発効果が高いので、好ましい。なお、開口率が５％未満であれば、結露水の蒸発効果が低くなり、一方、３０％よりも大きければ、結露水の吸収量を十分に確保できなくなる。したがって、上記の範囲内が好ましい。
【００３１】
開口５、６は、１個あたりの面積０．５〜５ｃｍ２の大きさで、吸収層２の面積１００ｃｍ２当たり、３〜６０個形成されていれば、結露水の吸収量を十分に確保できるとともに、結露水の蒸発効果が高いので、好ましい。開口５、６が、１個あたりの面積が０．５ｃｍ２未満の大きさでおよび／または吸収層２の面積１００ｃｍ２当たり３個未満の場合には、結露水の蒸発効果が低くなり、一方、１個あたりの面積が５ｃｍ２よりも大きいおよび／または吸収層２の面積１００ｃｍ２当たり６０個より多い場合には、結露水の吸収量を十分に確保できなくなる。したがって、上記の範囲内が好ましい。
【００３２】
また、吸収層２の側面２ａには、斜辺１４からなる周面拡大部１３が形成されている。周面拡大部１３は、長方形の短辺のような長辺に直交した形状と異なり、側面２ａの外周面の面積を大幅に拡大させる部分である。斜辺１４は、吸収層２の両側の短辺である側面２ａの全長にわたって吸収層２の長辺である下面２ｂに対して傾いている。
【００３３】
吸収層２の側面２ａに斜辺１４からなる周面拡大部１３が形成されていることにより、吸収層２の外側面で空気と触れる面積が拡大し、結露水の蒸発効果を向上することができる。
【００３４】
また、図４に示されるように、２枚の結露水吸収用テープ１を横に並べて窓ガラスＧに貼って配置した場合、窓ガラスＧをつたって垂直方向に落下する結露水Ｗが斜辺１４によって確実に吸収されるので、継ぎ目を通って下方へ垂れるおそれがなくなり、結露水の吸収もれを防ぐことができる。
【００３５】
なお、吸収層２の側面２ａに形成される周面拡大部１３は、吸収層２の両側の短辺の少なくとも一部において吸収層２の長辺に対して傾いた部分を有していれば、結露水が結露水吸収用テープ１の継ぎ目を通って下方へもれるおそれがなくなる。したがって、吸収層２の側面２ａの全長にわたって斜辺１４を形成する以外にも、側面２ａの一部に斜辺を形成してもよい。さらには、側面２ａをジグザグ形状や波目形状にしても、結露水が吸収用テープ１の継ぎ目から下方へもれるおそれがなくなる。
【００３６】
なお、前述のような開口５、６を有しなくても、吸収層２の側面２ａに斜辺１４からなる周面拡大部１３を有していれば、継ぎ目を通って下方へ垂れるおそれがなくなり、結露水の吸収もれも生じなくなることはいうまでもない。
【００３７】
また、吸収層２の上側の長辺である上面２ｃには、複数の装飾突起１７からなる周面拡大部１８が形成されている。周面拡大部１８は、長方形の長辺のような直線状な形状と異なり、吸収層２の上面２ｃの外周面の面積を大幅に拡大させる部分である。
【００３８】
装飾突起１７は、吸収層２の上面２ｃと一体化された装飾的な突起であり、例えば、もみの木、うさぎ、雪だるま、白熊など、白系の不織布からなる吸収層２の色に合わせて、冬を連想させる装飾に関するものである。また、本実施形態では、これらの装飾突起１７の図案に合わせて、吸収層２の上面２ｃの全体もなだらかな山の稜線の形状にしている。
【００３９】
吸収層２の上面２ｃに複数の装飾突起１７からなる周面拡大部１８が形成されていることにより、吸収層２の上面２ｃで空気と触れる面積が拡大し、結露水の蒸発効果を向上することができる。
【００４０】
しかも、複数の装飾突起１７により、吸収層２の上面２ｃにおける外周面の面積が拡大されているので、図４に示されるように、結露水吸収用テープ１を窓ガラスＧに貼って用いる場合には、装飾突起１７によって窓ガラスＧをつたって落下する結露水Ｗを吸収する効果も高くなる。
【００４１】
上記のように構成された結露水吸収用テープ１を、図４に示されるように窓ガラスＧに貼っておくことにより、例えば、夜のうちに外気で冷えた窓ガラスＧの表面に生じた結露水を結露水吸収用テープ１が吸収しておき、昼になって日光または部屋の暖房等によって空気の温度が上昇すれば、結露水吸収用テープ１に吸収された結露水を迅速に蒸発させることができる。
【００４２】
また、結露水吸収用テープ１を製造する場合、図３に示されるように、不織布からなる吸収層２の下面に、接着層３および剥離シート４を順次積層した後、開口５、６の部分を型抜き加工することにより製造される。
【００４３】
この型抜き加工のときにできる開口５、６の形状に対応した外形形状を有する型抜き片
１５、１６は、図３に示されるように、型抜き後も剥離シート４に付いた状態で出荷される。この型抜き片１５、１６も周囲の結露水吸収用テープ１と同様に、吸収層２および接着層３を有しており、他の結露水吸収用テープとして機能するものである。
【００４４】
そのため、図４に示されるように、結露水吸収用テープ１を窓ガラスＧに貼り付けて用いるときに、型抜き片１５、１６も窓ガラスＧに貼り付けて用いれば、これらの型抜き片１５、１６も結露水を吸収することが可能である。型抜き片１５、１６の外形形状は、開口５、６の内周面の凹凸に対応して凸部および凹部を有しており、外周面の面積が拡大しているので、型抜き片１５、１６に吸収された結露水の蒸発する効果が高い。
【００４５】
さらに、雪の結晶形状をした型抜き片１５およびうさぎの形状をした型抜き片１６は、装飾性が高い形状なので、美観性が向上する。とくに、開口５、６と型抜き片１５、１６とは、ネガとポジの関係なので、これらを並べて配置することにより、美観性がより一層向上する。
【００４６】
（実験例１）
つぎに、本発明の結露水吸収用テープ１の乾燥速度を検証するために、型抜き片の有無の違いで乾燥速度を比較する。
【００４７】
図５に示されるサンプルＩは、前述の型抜き片１５、１６を開口５、６の中に入れたままの状態の不織布２１（前述の吸収層２の材料）を透明フィルム２０の上に２枚配置されたものである。なお、不織布２１としては、上面の装飾突起１７がないものが用いられる。
【００４８】
図６に示されるサンプルＩＩは、図５の不織布２１の前述の型抜き片１５、１６を開口５、６から取り外し、不織布２１の周囲に貼り付けたものである。
【００４９】
不織布２１の全体の重量に対する型抜き片１５、１６の重量の合計の重量比は、約９．３％である。
【００５０】
以上の２つのサンプルＩ、ＩＩの不織布２１および型抜き片１５、１６に水を含浸させ、室温（２５℃程度）の環境下において、水分量の変化を測定する。その測定結果から得られた水分保持率Ｒの経時的な変化を示したグラフが、図７である。なお、図７の曲線Ｉ、ＩＩは、それぞれサンプルＩ、ＩＩについての実験結果に対応する。
【００５１】
図７のグラフに示されるように、経過時間ｔが３５０分後には、型抜き片１５、１６を開口５、６の外に取り出したサンプルＩＩの方が型抜き片１５、１６を取り出していないサンプルＩよりも水分保持率が５％程度低くなったことを示している。
【００５２】
さらに、図８には、２つのサンプルＩ、ＩＩに水を含浸させ、高温（５０℃程度）の環境下における水分保持率Ｒの経時的な変化を示したグラフが示されているが、図７の室温の環境下に比べて急速に水分保持率が低下することがわかる。図８のサンプルＩＩの実験結果では、経過時間２００分（ｔ１）で水分保持率が０％になった。
【００５３】
（実験例２）
つぎに、他の実験例として、結露水吸収用テープ１の外周デザイン違いによる乾燥速度を比較する。
【００５４】
図９に示されるサンプルＩＩＩは、棒状（横長の長方形）の不織布２３（前述の吸収層２の材料）を透明フィルム２２の上に２枚配置されたものである。
【００５５】
図１０に示されるサンプルＩＶは、上面を少しなだらかな曲線にして前述の装飾突起１７が追加された形状の不織布２４を透明フィルム２２の上に、これら装飾突起１７を向かい合わせて２枚配置されたものである。
【００５６】
サンプルＩＩＩの不織布２３とサンプルＩＶの不織布２４とは、全体の重量がほぼ同じであるため、面積も同じと推定される。
【００５７】
以上の２つのサンプルＩＩＩ、ＩＶの不織布２３、２４に水を含浸させ、室温（２５℃程度）の環境下において、水分量の変化を測定する。その測定結果から得られた水分保持率Ｒの経時的な変化を示したグラフが、図１１である。なお、図１１の曲線ＩＩＩ、ＩＶは、それぞれサンプルＩＩＩ、ＩＶについての実験結果に対応する。
【００５８】
図１１のグラフに示されるように、経過時間ｔが２９０分後には、装飾突起１７を有する複雑な形状のサンプルＩＶの方が棒状のサンプルＩＩＩよりも水分保持率が５％程度低くなったことを示している。
【００５９】
さらに、図１２には、２つのサンプルＩＩＩ、ＩＶに水を含浸させ、高温（５０℃程度）の環境下における水分保持率Ｒの経時的な変化を示したグラフが示されているが、図１１の室温の環境下に比べて急速に水分保持率が低下することがわかる。図１２のサンプルＩＶの実験結果では、経過時間２６０分（ｔ２）で水分保持率が０％になった。
【符号の説明】
【００６０】
１  結露水吸収用テープ
２  吸収層
２ａ  側面
２ｂ  下面
２ｃ  上面
３  接着層
４  剥離シート
５、６  開口
７  凸部
８  凹部
９  周面拡大部
１０  凸部
１１  凹部
１２  周面拡大部
１３  周面拡大部
１４  斜辺
１５、１６  型抜き片
１７  装飾突起
１８  周面拡大部
【図１】
2011213981.tif 000003
【図２】
2011213981.tif 000004
【図３】
2011213981.tif 000005
【図４】
2011213981.tif 000006
【図５】
2011213981.tif 000007
【図６】
2011213981.tif 000008
【図７】
2011213981.tif 000009
【図８】
2011213981.tif 000010
【図９】
2011213981.tif 000011
【図１０】
2011213981.tif 000012
【図１１】
2011213981.tif 000013
【図１２】
2011213981.tif 000014